(57)【要約】【課題】主に各種電子機器の遠隔操作に用いられるリモコン送信機に関し、防水性を高め、確実な操作が可能なものを提供することを目的とする。【解決手段】貫通孔１６Ａ内をリード線９が挿通する封止栓１６外周に、外方へ突出する鍔部１６Ｂを設けると共に、この鍔部１６Ｂの上面を下ケース１５下面に、下面をホルダ１７上面に弾接させることによって、封止栓１６外周の鍔部１６Ｂ上面が下ケース１５下面に、下面がホルダ１７上面に弾接しているため、鍔部１６Ｂによって高い防水性が得られると共に、組立ても容易で、確実な操作が可能なリモコン送信機を得ることができる。【選択図】図１
2014050003.tif 000002
【特許請求の範囲】
【請求項１】
略箱型の上ケースと、この上ケース下面を覆う下ケースと、上記上ケースと下ケース内に形成されたスイッチ接点と、このスイッチ接点の電気的接離に応じてリモコン信号を送信する制御手段と、上記下ケースから外方へ延出するリード線と、このリード線が貫通孔内を挿通する封止栓からなり、上記封止栓外周に外方へ突出する鍔部を設けると共に、この鍔部の上面を上記下ケース下面に、下面をホルダ上面に弾接させたリモコン送信機。
【請求項２】
封止栓の鍔部の上下面と貫通孔の内周に、複数の凸部を設けた請求項１記載のリモコン送信機。
【発明の詳細な説明】
【技術分野】
【０００１】
本発明は、主に各種電子機器の遠隔操作に用いられるリモコン送信機に関するものである。
【背景技術】
【０００２】
近年、屋外に設置された給湯器等の各種電子機器を、浴室内や屋内の側壁に取付けられたリモコン送信機によって、遠隔操作することが広く行われており、防水性や防塵性に優れ、確実な操作を行えるものが求められている。
【０００３】
このような従来のリモコン送信機について、図７〜図９を用いて説明する。
【０００４】
図７は従来のリモコン送信機の断面図であり、同図において、１は略箱型で絶縁樹脂製の上ケース、２は絶縁樹脂製の操作体で、複数の操作体２が上ケース１上面の開口孔内に、上下動可能に装着されている。
【０００５】
そして、３はフィルム状の表示シートで、下面には文字や記号等の表示（図示せず）が印刷等によって形成されると共に、この表示シート３が開口孔や複数の操作体２を覆うように、上ケース１上面に貼付されている。
【０００６】
また、４は上下面に複数の配線パターン（図示せず）が形成された配線基板で、この上面には複数のプッシュスイッチ５が実装されて、複数のスイッチ接点が形成されると共に、プッシュスイッチ５の操作軸５Ａ上面には、操作体２下面が当接している。
【０００７】
さらに、６は液晶表示素子等の表示素子で、表示面を上方に向けて配線基板４上面に実装されると共に、この上方の上ケース１上面の開口窓には、光透過性で絶縁樹脂製のカバー７が固着されている。
【０００８】
また、配線基板４の下面にはマイコン等が実装されて制御手段８が形成されると共に、この制御手段８に配線パターンを介して、複数のプッシュスイッチ５や表示素子６、銅合金等の芯線が絶縁樹脂で被覆された複数のリード線９の一端が接続されている。
【０００９】
そして、１０は略箱型で絶縁樹脂製の下ケースで、所定箇所が溶着等によって固着されて、下ケース１０が上ケース１下面を覆うと共に、下ケース１０下面の中間部には、上下方向に突出する中空筒部１０Ａが設けられている。
【００１０】
さらに、１１はゴム等の封止栓で、複数の貫通孔１１Ａ内にはリード線９が圧入されて挿通すると共に、中間部外周が中空筒部１０Ａ上面の開口孔１０Ｂ内周に圧入されて、下ケース１０に装着されている。
【００１１】
また、リード線９の他端にはコネクタ１２が接続されると共に、このリード線９が下ケース１０の中空筒部１０Ａ下面から外方へ延出して、リモコン送信機が構成されている。
【００１２】
なお、以上のようなリモコン送信機を組立てる際には、図８の断面図に示すように、先ず、貫通孔１１Ａ内にリード線９が挿通した封止栓１１の中間部外周を、下ケース１０の中空筒部１０Ａ上面の開口孔１０Ｂ内周に、封止栓１１の下部を弾性変形させて圧入する。
【００１３】
また、この後、図９の断面図に示すように、下ケース１０で上ケース１下面を覆った後、所定箇所を溶着等によって固着して、下ケース１０を上ケース１下面に固着するが、この時、リード線９が配線基板４下面に折曲した状態となってしまう場合が多いため、この場合にはリード線９を下方へ引っ張り、リード線９を伸ばして、図７に示すようなリモコン送信機が完成する。
【００１４】
そして、このようなリモコン送信機が浴室内や屋内の側壁に取付けられると共に、下ケース１０下面から延出したリード線９がコネクタ１２等を介して、屋外に設置された給湯器等の電子機器に電気的に接続される。
【００１５】
以上の構成において、表示シート３の、例えば温度切換え等が表示された箇所を押圧操作すると、この下面の操作体２が押圧されて下方へ移動し、操作体２下面が操作軸５Ａを押圧して、プッシュスイッチ５の電気的接離が行われる。
【００１６】
そして、このプッシュスイッチ５の電気的接離を制御手段８が検出し、この操作に応じたリモコン信号をリード線９から電子機器へ送信して、例えば、給湯器の設定温度が高い温度や低い温度に切換わる。
【００１７】
また、同時にこのプッシュスイッチ５の操作に応じて、制御手段８が表示素子６の表示を制御して、例えば、表示素子６に切換えられた温度や時刻等を表示させる。
【００１８】
つまり、浴室内や屋内の側壁に取付けられたリモコン送信機の、複数の操作体２を操作することによって、屋外に設置された給湯器等の電子機器を遠隔操作すると共に、給湯器等の設定温度や時刻等を表示素子６に表示することで、判り易く簡易に操作を行うことが可能なように構成されている。
【００１９】
さらに、上ケース１上面の開口孔を覆うように貼付された表示シート３や、上ケース１と下ケース１０の溶着等による固着、貫通孔１１Ａ内にリード線９が圧入された封止栓１１等によって防水性を高め、浴室等で使用された場合にも、水滴等がリモコン送信機内に侵入することを防ぐようになっているものであった。
【００２０】
なお、この出願の発明に関連する先行技術文献情報としては、例えば、特許文献１が知られている。
【先行技術文献】
【特許文献】
【００２１】
【特許文献１】特開２０１０−１３０４４７号公報
【発明の概要】
【発明が解決しようとする課題】
【００２２】
しかしながら、上記従来のリモコン送信機においては、貫通孔１１Ａ内にリード線９が圧入された封止栓１１の、中間部外周は空筒部１０Ａの開口孔１０Ｂ内周に圧入され強い力で圧接しているが、開口孔１０Ｂの外周上下面への圧接力は弱いため、防水性がやや不充分なものになってしまうと共に、図９に示した状態でリード線９を引っ張った際、配線基板４に実装された他の部品を破損させてしまう場合があるという課題があった。
【００２３】
本発明は、このような従来の課題を解決するものであり、防水性を高め、確実な操作が可能なリモコン送信機を提供することを目的とする。
【課題を解決するための手段】
【００２４】
上記目的を達成するために本発明は、貫通孔内をリード線が挿通する封止栓外周に、外方へ突出する鍔部を設けると共に、この鍔部の上面を下ケース下面に、下面をホルダ上面に弾接させてリモコン送信機を構成したものであり、封止栓外周の鍔部上面が下ケース下面に、下面がホルダ上面に弾接しているため、鍔部によって高い防水性が得られると共に、組立ても容易で、確実な操作が可能なリモコン送信機を得ることができるという作用を有するものである。
【発明の効果】
【００２５】
以上のように本発明によれば、防水性に優れ、確実な操作の可能なリモコン送信機を実現できるという有利な効果が得られる。
【図面の簡単な説明】
【００２６】
【図１】本発明の一実施の形態によるリモコン送信機の断面図
【図２】同平面図
【図３】同部分斜視図
【図４】同断面図
【図５】同断面図
【図６】同断面図
【図７】従来のリモコン送信機の断面図
【図８】同断面図
【図９】同断面図
【発明を実施するための形態】
【００２７】
以下、本発明の実施の形態について、図１〜図６を用いて説明する。
【００２８】
なお、背景技術の項で説明した構成と同一構成の部分には同一符号を付して、詳細な説明を簡略化する。
【００２９】
（実施の形態）
図１は本発明の一実施の形態によるリモコン送信機の断面図、図２は同平面図であり、同図において、１は略箱型でポリスチレンやＡＢＳ等の絶縁樹脂製の上ケース、２は同じく絶縁樹脂製の操作体で、複数の操作体２が上ケース１上面の開口孔内に、上下動可能に装着されている。
【００３０】
そして、３はフィルム状でポリエチレンテレフタレート等の表示シートで、下面には文字や記号等の表示が印刷等によって形成されると共に、この表示シート３が開口孔や複数の操作体２を覆うように、上ケース１上面に貼付されている。
【００３１】
また、４は紙フェノールやガラス入りエポキシ等の配線基板で、上下面には銅箔等によって複数の配線パターン（図示せず）が形成されると共に、この上面には複数のプッシュスイッチ５が実装されて、複数のスイッチ接点が形成され、プッシュスイッチ５の操作軸５Ａ上面には、操作体２下面が当接している。
【００３２】
さらに、６は液晶表示素子等の表示素子で、表示面を上方に向けて配線基板４上面に実装されると共に、この上方の上ケース１上面の開口窓には、光透過性でポリカーボネートやアクリル等の絶縁樹脂製のカバー７が固着されている。
【００３３】
また、配線基板４の下面にはマイコン等が実装されて制御手段８が形成されると共に、この制御手段８に配線パターンを介して、複数のプッシュスイッチ５や表示素子６、銅合金等の芯線が絶縁樹脂で被覆された複数のリード線９の一端が接続されている。
【００３４】
そして、１５は略箱型で絶縁樹脂製の下ケースで、所定箇所が溶着等によって固着されて、下ケース１５が上ケース１下面を覆うと共に、下ケース１５下面の中間部には開口孔１５Ａと、この外周を囲む略円筒状の筒部１５Ｂが設けられている。
【００３５】
さらに、１６は略円柱状でシリコーンゴムやエラストマー等の封止栓で、複数の貫通孔１６Ａ内にはリード線９が圧入されて挿通し、外周には外方へ突出する鍔部１６Ｂが設けられると共に、この貫通孔１６Ａ内周と鍔部１６Ｂの上下面には、図３の部分斜視図に示すように、略リング状の複数の凸部１６Ｃと１６Ｄが突出形成されている。
【００３６】
そして、１７は絶縁樹脂製のホルダで、下ケース１５の筒部１５Ｂ下面に複数のねじ１８によって固着されると共に、封止栓１６が鍔部１６Ｂの上面を下ケース１５下面に、下面をホルダ１７上面に弾接させて、下ケース１５とホルダ１７の間に装着されている。
【００３７】
また、リード線９の他端にはコネクタ１２が接続されると共に、このリード線９が下ケース１５に固着されたホルダ１７下面から外方へ延出して、リモコン送信機が構成されている。
【００３８】
なお、以上のようなリモコン送信機を組立てる際には、先ず、図４の断面図に示すように、複数の操作体２や表示シート３、カバー７が取付けられた上ケース１に、複数のプッシュスイッチ５や表示素子６が実装された配線基板４や、この配線基板４に接続されたリード線９が貫通孔１６Ａ内を挿通し、貫通孔１６Ａ内周に突出形成された複数の凸部１６Ｃが、リード線９に弾接した封止栓１６等を組み込む。
【００３９】
次に、図５の断面図に示すように、封止栓１６の鍔部１６Ｂを摘まんで弾性変形させながら、コネクタ１２や封止栓１６を下ケース１５の開口孔１５Ａ内に挿入して、上ケース１下面に下ケース１５を組立てた後、これらの所定箇所を溶着等によって固着する。
【００４０】
そして、この後、図６の断面図に示すように、封止栓１６の鍔部１６Ｂを下ケース１５下面との間で挟むように、ホルダ１７を筒部１５Ｂ下面に装着し、封止栓１６の鍔部１６Ｂ上下面に突出形成された複数の凸部１６Ｄが、下ケース１５下面とホルダ１７上面に弾接するように、複数のねじ１８によってホルダ１７を固着して、図１に示すようなリモコン送信機が完成する。
【００４１】
また、このようなリモコン送信機が浴室内や屋内の側壁に取付けられると共に、下ケース１５下面から延出したリード線９がコネクタ１２等を介して、屋外に設置された給湯器等の電子機器に電気的に接続される。
【００４２】
以上の構成において、表示シート３の、例えば温度切換え等が表示された箇所を押圧操作すると、この下面の操作体２が押圧されて下方へ移動し、操作体２下面が操作軸５Ａを押圧して、プッシュスイッチ５の電気的接離が行われる。
【００４３】
そして、このプッシュスイッチ５の電気的接離を制御手段８が検出し、この操作に応じたリモコン信号をリード線９から電子機器へ送信して、例えば、給湯器の設定温度が高い温度や低い温度に切換わる。
【００４４】
また、同時にこのプッシュスイッチ５の操作に応じて、制御手段８が表示素子６の表示を制御して、例えば、表示素子６に切換えられた温度や時刻等を表示させる。
【００４５】
つまり、浴室内や屋内の側壁に取付けられたリモコン送信機の、複数の操作体２を操作することによって、屋外に設置された給湯器等の電子機器を遠隔操作すると共に、給湯器等の設定温度や時刻等を表示素子６に表示することで、判り易く簡易に操作を行うことが可能なように構成されている。
【００４６】
さらに、上ケース１上面の開口孔を覆うように貼付された表示シート３や、上ケース１と下ケース１５の溶着等による固着、貫通孔１６Ａ内にリード線９が圧入された封止栓１６等によって防水性を高め、浴室等で使用された場合にも、水滴等がリモコン送信機内に侵入することを防ぐようになっている。
【００４７】
そして、本発明においては、封止栓１６の貫通孔１６Ａ内にリード線９を圧入させて挿通させると共に、封止栓１６外周に外方へ突出する鍔部１６Ｂを設け、この鍔部１６Ｂの上面を下ケース１５下面に、下面をホルダ１７上面に弾接させることによって、面積の大きな鍔部１６Ｂの上下面が下ケース１５下面とホルダ１７上面に弾接し、強い圧接力でこれらの間の防水性を高めることができるため、確実な防水を行うことが可能なように構成されている。
【００４８】
また、封止栓１６の鍔部１６Ｂの上下面に、略リング状の複数の凸部１６Ｄを突出形成することで、複数の凸部１６Ｄによって、下ケース１５下面とホルダ１７上面との防水性をより高めることができると共に、貫通孔１６Ａ内周に略リング状の複数の凸部１６Ｃを設けることで、防水性を維持したまま、組立て時等に挿通したリード線９に対して、封止栓１６を比較的容易に移動させることも可能となる。
【００４９】
さらに、このように封止栓１６外周に外方へ突出する鍔部１６Ｂを設けることで、図５に示したように、封止栓１６の鍔部１６Ｂを摘まんで弾性変形させながら、コネクタ１２や封止栓１６を下ケース１５の開口孔１５Ａ内に挿入して、上ケース１と下ケース１５を組立てることができるため、配線基板４に実装された他部品等を破損させることもなく、容易にリモコン送信機の組立てを行うことができる。
【００５０】
なお、以上の説明では、配線基板４の上面にプッシュスイッチ５を実装して、複数のスイッチ接点を形成した構成について説明したが、配線基板４上面にカーボン等の複数の固定接点を設け、この上方に下面に可動接点が形成されたゴム等の押釦を対向させたものや、あるいは、固定接点上に略ドーム状で導電金属薄板製の可動接点を載置したもの等、様々なスイッチ接点を用いた構成としても、本発明の実施は可能である。
【００５１】
このように本実施の形態によれば、貫通孔１６Ａ内をリード線９が挿通する封止栓１６外周に、外方へ突出する鍔部１６Ｂを設けると共に、この鍔部１６Ｂの上面を下ケース１５下面に、下面をホルダ１７上面に弾接させることによって、封止栓１６外周の鍔部１６Ｂ上面が下ケース１５下面に、下面がホルダ１７上面に弾接しているため、鍔部１６Ｂによって高い防水性が得られると共に、組立ても容易で、確実な操作が可能なリモコン送信機を得ることができるものである。
【００５２】
また、封止栓１６の鍔部１６Ｂの上下面と貫通孔１６Ａの内周に、略リング状の複数の凸部１６Ｄと１６Ｃを設けることによって、下ケース１５やホルダ１７、リード線９との防水性をより確実なものとすることができる。
【産業上の利用可能性】
【００５３】
本発明によるリモコン送信機は、防水性に優れ、確実な操作が可能なものを得ることができるという有利な効果を有し、主に各種電子機器の操作用として有用である。
【符号の説明】
【００５４】
１  上ケース
２  操作体
３  表示シート
４  配線基板
５  プッシュスイッチ
５Ａ  操作軸
６  表示素子
７  カバー
８  制御手段
９  リード線
１２  コネクタ
１５  下ケース
１５Ａ  開口孔
１５Ｂ  筒部
１６  封止栓
１６Ａ  貫通孔
１６Ｂ  鍔部
１６Ｃ、１６Ｄ  凸部
１７  ホルダ
１８  ねじ
【図１】
2014050003.tif 000003
【図２】
2014050003.tif 000004
【図３】
2014050003.tif 000005
【図４】
2014050003.tif 000006
【図５】
2014050003.tif 000007
【図６】
2014050003.tif 000008
【図７】
2014050003.tif 000009
【図８】
2014050003.tif 000010
【図９】
2014050003.tif 000011